(57)【要約】      （修正有）【課題】防水性及び防塵性を向上する。【解決手段】ファンモータ１００において、インペラ１２０を回転駆動するモータ１１０のステータユニット２は、軸方向に延びる筒状の軸受保持部２３と、軸受保持部の軸方向の一方側における端部を覆う蓋部２５と、軸受保持部及び蓋部の間に設けられるシール部２６と、を備える。蓋部は、端部２３０の軸方向の一方側に設けられて径方向に延びる板部１１１と、板部から軸方向の他方側に延び、端部の内側に位置する筒部と、を有する。シール部は、径方向において端部の内側面と筒部の外側面との間に位置する第１シール部を有する。【選択図】図１
2018164336.tif 000002
【特許請求の範囲】
【請求項１】
軸方向に延びる筒状の軸受保持部と、
前記軸受保持部の軸方向の一方側における端部を覆う蓋部と、
前記軸受保持部及び前記蓋部の間に設けられるシール部と、
を備え、
前記蓋部は、
前記端部の軸方向の前記一方側に設けられて径方向に延びる板部と、
前記板部から軸方向の他方側に延び、前記端部の内側に位置する筒部と、
を有し、
前記シール部は、径方向において前記端部の内側面と前記筒部の外側面との間に位置する第１シール部を有するステータユニット。
【請求項２】
前記端部の前記内側面及び前記筒部の前記外側面のうちの少なくとも一方に、径方向に突出する突起部が設けられる請求項１に記載のステータユニット。
【請求項３】
前記突起部の軸方向における長さは、前記突起部の径方向における長さよりも大きい請求項２に記載のステータユニット。
【請求項４】
前記突起部は、複数であって、周方向に等配される請求項２又は請求項３のいずれかに記載のステータユニット。
【請求項５】
前記筒部は、軸方向の前記他方側における先端が径方向内方に向かって面取りされた第１傾斜面を有する請求項１〜請求項４のいずれかに記載のステータユニット。
【請求項６】
前記軸受保持部は、軸方向の前記一方側における先端が径方向外方に向かって面取りされた第２傾斜面を有する請求項１〜請求項５のいずれかに記載のステータユニット。
【請求項７】
軸方向の前記一方側において前記軸受保持部の外周面を保持するハウジング部をさらに有し、
前記シール部は、第２シール部をさらに有し、
前記第２シール部は、軸方向において、前記軸受保持部の前記端部及び前記ハウジング部のうちの少なくとも一方と、前記蓋部の板部との間に位置する請求項１〜請求６のいずれかに記載のステータユニット。
【請求項８】
前記蓋部は、前記筒部よりも径方向の外方に設けられ、前記板部から軸方向の前記他方側に延びる壁部をさらに有し、
前記壁部は、周方向に延びる、又は、周方向に複数並ぶ請求項１〜請求７のいずれかに記載のステータユニット。
【請求項９】
前記ハウジング部の軸方向の前記一方側における端面には、周方向に延び、軸方向の前記他方側に窪む溝部が設けられ、
前記溝部は、前記壁部の少なくとも一部を収容し、
前記シール部は、径方向において、前記壁部の内側面と前記溝部の外側面との間、及び、前記壁部の外側面と前記溝部の内側面との間の少なくとも一方に位置する第３シール部をさらに有する請求項８に記載のステータユニット。
【請求項１０】
前記軸受保持部の前記端部の前記内側面は、軸方向の前記一方側に向かうにつれて径方向の外方に広がる請求項１〜請求項９のいずれかに記載のステータユニット。
【請求項１１】
前記軸受保持部の前記端部の前記内側面、及び、前記蓋部の前記筒部の前記外側面のうちの少なくとも一方は、軸方向から見て、内径が異なる複数の側面を有する階段形状を有し、
軸方向から見た複数の前記側面において、軸方向の前記一方側にある前記側面は軸方向の前記他方側にある前記側面よりも内径が大きい請求項１０に記載のステータユニット。
【請求項１２】
軸方向に延びるシャフトと、
中心軸を中心に前記シャフトを回転可能に支持する軸受と、
前記シャフトとともに回転可能であるロータと、
前記ロータを駆動するステータを有する請求項１〜請求項１１のいずれかに記載のステータユニットと、
前記ステータユニットに配置され、前記ロータを回転可能に支持する軸受と、
を備え、
前記ロータは、前記ステータよりも径方向外方にマグネットを有するモータ。
【請求項１３】
前記中心軸を中心にして前記軸受を介して前記ロータに接続されるシャフトと、
前記シャフトの軸方向の前記一方側に設けられ前記シャフトを軸方向の前記他方側に付勢する弾性部材と、
をさらに備える前記請求項１２に記載のモータ。
【請求項１４】
中心軸を中心に回転可能な複数の翼部を有するインペラと、
前記インペラを回転駆動する請求項１３に記載のモータと、
を備えるファンモータ。
【発明の詳細な説明】
【技術分野】
【０００１】
本発明は、ステータユニット、モータ、及びファンモータに関する。
【背景技術】
【０００２】
従来、モータの軸受ホルダの下端部における防水性及び防塵性を高めるため、様々な試みがなされている。
【０００３】
たとえば、特許文献１のファンモータでは、第２ブラケットの下部軸受け嵌込空間に下部軸受け押込部が形成され、回転軸を支持する下部軸受けが下部軸受け押込部に固定されている。また、第２ブラケットの底面には下部フェルトカバーが取り付けられている。そして、軸方向における第２ブラケット及び下部フェルトカバー間に下部油リングを設けることにより、下部軸受け嵌込空間の気密を維持している。
【０００４】
また、特許文献２の軸流ファンモータでは、ベアリングを保持する軸受箱の下部に孔が設けられ、この孔にエンドキャップを装着することにより、軸の端部を覆う密閉構造を形成している。
【先行技術文献】
【特許文献】
【０００５】
【特許文献１】特開２０１５−１２２９４２号公報
【特許文献２】実開平０７−０３９２６３号公報
【発明の概要】
【発明が解決しようとする課題】
【０００６】
しかしながら、近年では、防水性及び防塵性の更なる向上が望まれている。
【０００７】
本発明は、上記の状況を鑑みて、防水性及び防塵性を向上することができるステータユニット、モータ、及びファンモータを提供することを目的とする。
【課題を解決するための手段】
【０００８】
上記目的を達成するために、本発明の例示的なステータユニットは、軸方向に延びる筒状の軸受保持部と、前記軸受保持部の軸方向の一方側における端部を覆う蓋部と、前記軸受保持部及び前記蓋部の間に設けられるシール部と、を備え、前記蓋部は、前記端部の軸方向の前記一方側に設けられて径方向に延びる板部と、前記板部から軸方向の他方側に延び、前記端部の内側に位置する筒部と、を有し、前記シール部は、径方向において前記端部の内側面と前記筒部の外側面との間に位置する第１シール部を有する。
【０００９】
また、上記目的を達成するために、本発明の例示的なモータは、軸方向に延びるシャフトと、中心軸を中心に前記シャフトを回転可能に支持する軸受と、前記シャフトとともに回転可能であるロータと、前記ロータを駆動するステータを有する上記のステータユニットと、前記ステータユニットに配置され、前記ロータを回転可能に支持する軸受と、を備え、前記ロータは、前記ステータよりも径方向外方にマグネットを有する。
【００１０】
また、上記目的を達成するために、本発明の例示的なファンモータは、前記中心軸を中心に回転可能な複数の翼部を有するインペラと、前記インペラを回転駆動する上記のモータと、を備える。
【発明の効果】
【００１１】
本発明の例示的なステータユニット、モータ、及びファンモータによれば、ステータユニットの防水性及び防塵性を向上することができる。
【図面の簡単な説明】
【００１２】
【図１】図１は、実施形態に係るファンモータの構成例を示す断面図である。
【図２Ａ】図２Ａは、蓋部の斜視図である。
【図２Ｂ】図２Ｂは、軸方向から見た蓋部の上面図である。
【図２Ｃ】図２Ｃは、径方向から見た蓋部の断面図である。
【図３】図３は、実施形態に係るファンモータのシール部近傍における要部の一例を示す拡大断面図である。
【図４】図４は、実施形態の変形例に係るファンモータのシール部近傍における要部の他の一例を示す拡大断面図である。
【発明を実施するための形態】
【００１３】
以下に図面を参照して本発明の例示的な実施形態を説明する。
【００１４】
なお、本明細書では、ファンモータ１００において、中心軸ＣＡと平行な方向を「軸方向」と呼ぶ。さらに、軸方向の一方側であって、軸方向においてロータ１からステータユニット２に向かう方向を「下方」と呼ぶ。また、軸方向の他方側であって、軸方向においてステータユニット２からロータ１に向かう方向を「上方」と呼ぶ。また、各々の構成要素の表面において、軸方向の上方に向く面を「上面」と呼び、軸方向の下方に向く面を「下面」と呼ぶ。
【００１５】
また、中心軸ＣＡに直交する方向を「径方向」と呼び、中心軸ＣＡを中心とする周方向を「周方向」と呼ぶ。さらに、径方向において、中心軸ＣＡに向かう方向を「内方」と呼び、中心軸ＣＡから離れる方向を「外方」と呼ぶ。さらに、各々の構成要素の側面において、径方向の内方に向く側面を「内側面」と呼び、径方向の外方に向く側面を「外側面」と呼ぶ。
【００１６】
なお、以上に説明した方向及び面の呼称は、実際の機器に組み込まれた場合での位置関係及び方向などを示すものではない。
【００１７】
＜１．実施形態＞
図１は、実施形態に係るファンモータ１００の構成例を示す断面図である。図１では、中心軸ＣＡを含む切断面でアウターロータ型のファンモータ１００を切断している。
【００１８】
＜１−１．ファンモータの概略構成＞
図１に示すように、ファンモータ１００は、モータ１１０と、インペラ１２０と、ケーシング１３０と、を備える。モータ１１０は、インペラ１２０を回転駆動する駆動装置である。インペラ１２０は、モータ１１０の軸方向における上部に取り付けられた羽根車であり、中心軸ＣＡを中心に回転可能な複数の翼部１２１を有している。インペラ１２０は、モータ１１０により中心軸ＣＡを中心に回転することにより、軸方向に流れる気流を発生させる。ケーシング１３０は、モータ１１０及びインペラ１２０を収容し、モータ１１０を保持している。
【００１９】
＜１−２．モータの概略構成＞
次に、モータ１１０の構成を説明する。図１に示すように、モータ１１０は、軸方向に延びるシャフト１０と、シャフト１０とともに回転可能であるロータ１と、ロータ１を駆動するステータ２０を有するステータユニット２と、中心軸ＣＡを中心にシャフト１０を回転可能に支持する軸受３と、を備える。
【００２０】
シャフト１０は、ロータ１に取り付けられる回転軸であり、ロータ１とともに回転可能である。なお、この例示に限定されず、シャフト１０は、ステータユニット２に取り付けられる固定軸であってもよい。なお、シャフト１０が固定軸である場合、ロータ１には、シャフト１０に対してロータ１を回転可能に支持する軸受（不図示）が設けられる。
【００２１】
ロータ１は、ロータ保持部材１１と、マグネット１２と、を有している。ロータ保持部材１１は、マグネット１２を保持する部材である。ロータ保持部材１１は、板部１１１と、円筒部１１２と、を有する。板部１１１は、中心軸ＣＡから径方向の外方に延びる円環形状の部材である。円筒部１１２は、筒状の部材であり、板部１１１の周縁から軸方向の下方に延びる。マグネット１２は、ステータユニット２の後述するステータ２０よりも径方向の外方に位置する。マグネット１２は、円筒部１１２の内側面に保持され、ステータ２０の外側面と対向する。
【００２２】
ステータユニット２は、ステータ２０と、基板２１と、樹脂部２２と、軸受保持部２３と、ハウジング部２４と、蓋部２５と、シール部２６と、フィルム２７と、を有する。
【００２３】
ステータ２０は、ステータコア２０１と、インシュレータ２０２と、複数のコイル部２０３とを有する。ステータコア２０１は、電磁鋼板が軸方向に積層された積層鋼板で構成される鉄心部材である。インシュレータ２０２は、たとえば樹脂材料を用いた絶縁部材であり、ステータコア２０１の少なくとも一部を覆う。複数のコイル部２０３は、インシュレータ２０２を介してステータコア２０１に導線が巻き付けられている。
【００２４】
基板２１は、複数のコイル部２０３の導線と電気的に接続されている。さらに、外部に引き出されるリード線（不図示）とも電気的に接続されている。
【００２５】
樹脂部２２は、ステータ２０、基板２１、及び軸受保持部２３の外側面を覆い、さらにハウジング部２４内に充填されている。
【００２６】
軸受保持部２３は、軸方向に延びる筒状の部材であり、ステータ２０及び軸受３を保持する。軸受保持部２３の内部には、軸受３が配置され、さらに、シャフト１０が挿入されている。また、軸受保持部２３の径方向の外方には、ステータ２０が固定されている。軸受保持部２３の具体的な構成は後に説明する。
【００２７】
ハウジング部２４は、軸方向の下方において軸受保持部２３の外側面を保持する。ハウジング部２４は、ケーシング１３０に固定されている。モータ１１０は、ハウジング部２４を介してケーシング１３０に保持されている。ハウジング部２４の軸方向の下方における端面（つまり下面）には、溝部２４ａが設けられている。溝部２４ａは、周方向に延び、軸方向の上方に窪んでいる。より具体的には、溝部２４ａは、軸方向の下方から見て、中心軸ＣＡを中心とする環状に設けられている。溝部２４ａは、蓋部２５の後述する壁部２５３の少なくとも一部を収容している。
【００２８】
蓋部２５は、軸受保持部２３の軸方向の下方における端部２３０に嵌め込まれている。蓋部２５は、軸受保持部２３の端部２３０と、ハウジング部２４の軸方向における下端の少なくとも一部と、を覆っている。蓋部２５の具体的な構成は後に説明する。
【００２９】
シール部２６は、軸受保持部２３及びハウジング部２４と蓋部２５との間に設けられて、両者間の隙間を塞いでいる。シール部２６は、特に限定されないが、たとえば、グリスなどの流動性のある材料を用いて設けられていてもよいし、ゴムなどの弾性を有する材料を用いて設けられていてもよい。或いは、エポキシ系又はシリコン系の接着剤を用いて設けられていてもよいし、シール部２６は、熱硬化性樹脂、紫外線硬化剤などを用いて設けられていてもよい。シール部２６の具体的な構成は後に説明する。
【００３０】
フィルム２７は、ハウジング部２４及び蓋部２５の下面に張り付けられている。なお、フィルム２７は、軸方向から見て溝部２４ａ及び蓋部２５の少なくとも一部を覆っている。
【００３１】
軸受３は、ステータユニット２に配置され、ロータ１を回転可能に支持する。より具体的には、軸受３は、ステータユニット２の軸受保持部２３に保持されて、軸方向に延びるシャフト１０を回転可能に支持している。本実施形態では、たとえば、ボール軸受が軸受３として用いられている。なお、この例示に限定されず、軸受３には、たとえばスリーブ軸受などが用いられていてもよい。
【００３２】
このほか、モータ１１０は、予圧バネ１０ａをさらに備えている。予圧バネ１０ａは、シャフト１０の軸方向の下方に設けられる弾性部材であり、シャフト１０を軸方向の下方に付勢している。シャフト１０の軸方向の下方に予圧バネ１０ａを設けることにより、軸方向において蓋部２５とシャフト１０を回転可能に支持する軸受３との間の距離がより長くなる。また、予圧バネ１０ａは、シャフト１０側に設けられるため、シール部２６から離れている。従って、シール部２６（たとえば後述する第１シール部２６１）が軸受３及び予圧バネ１０ａに当たったり付着したりすることなどの不具合の発生を抑制又は防止できる。
【００３３】
＜１−２．蓋部の構成＞
次に、蓋部２５の構成を説明する。図２Ａは、蓋部２５の斜視図である。図２Ｂは、軸方向から見た蓋部２５の上面図である。図２Ｃは、径方向から見た蓋部２５の断面図である。図２Ｃは、図２Ｂの一点鎖線Ａ−Ａに沿う蓋部２５の断面を示している。
【００３４】
蓋部２５は、板部２５１と、筒部２５２と、壁部２５３と、を有している。
【００３５】
板部２５１は、径方向に延びる円板形状であり、軸受保持部２３の端部２３０よりも軸方向の下方に設けられている。
【００３６】
筒部２５２は、板部２５１から軸方向の上方に延び、軸受保持部２３の端部２３０の内側に位置する。壁部２５３は、筒部２５２よりも径方向の外方に設けられ、板部２５１から軸方向の上方に延びる。筒部２５２は、第１傾斜面２５２ａと、突起部２５２ｂと、を有している。
【００３７】
第１傾斜面２５２ａは、軸方向の上方における先端の径方向の外端部分が径方向内方に向かって面取りされた面である。第１傾斜面２５２ａは、筒部２５２の軸方向の上方における端部且つ径方向外方に設けられており、中心軸ＣＡを中心とする周方向に環状に設けられている。こうすれば、シール部２６（たとえば第１シール部２６１）を介して蓋部２５の筒部２５２を軸受保持部２３の端部２３０に挿入しやすくなる。また、軸受保持部２３の端部２３０と筒部２５２との間において面取りされた部分にも第１シール部２６１が設けられる。そのため、第１シール部２６１が軸受保持部２３の端部２３０と筒部２５２との間から軸方向の上方にはみ出難くなる。従って、第１シール部２６１が、シャフト１０、軸受３などに当たったり付着したりすることなどの不具合の発生を抑制又は防止できる。
【００３８】
筒部２５２の外側面には、径方向に突出する突起部２５２ｂが設けられている。突起部２５２ｂの軸方向における長さは、突起部２５２ｂの径方向における長さよりも大きくなっている。より具体的には、突起部２５２ｂは、軸方向において、第１傾斜面の軸方向における下端から延び、板部２５１の上面に達している。径方向において、突起部２５２ｂの少なくとも一部は、軸受保持部２３の内側面に接触している。より具体的には、筒部２５２が軸受保持部２３の端部２３０に嵌ることにより、突起部２５２ｂの軸方向の上方における端部が、軸受保持部２３の端部２３０の内側面に接触している。なお、この例示に限定されず、軸受保持部２３の端部２３０の内側面のうちの軸方向の下方部分が突起部２５２ｂに接触してもよい。さらに、突起部２５２ｂの少なくとも一部と軸受保持部２３の端部２３０の内側面との間には、第１シール部２６１が介在してもよい。こうすれば、突起部２５２ｂが軸受保持部２３及び筒部２５２間において第１シール部２６１を径方向に押すことにより、第１シール部２６１を軸受保持部２３の端部２３０と蓋部２５の筒部２５２との間に保持し易くなる。従って、第１シール部２６１の周方向における移動を抑制又は防止できる。また、周方向において第１シール部２６１を均等に充填することもできる。従って、軸方向の下方から軸受保持部２３の端部２３０内への水分及び塵埃の侵入を抑制又は防止して、防水性及び防塵性を向上することができる。
【００３９】
また、図２Ａ及び図２Ｂに示すように、５つの突起部２５２ｂが、軸方向から見て周方向に等配されている。たとえば図２Ｂのように、筒部２５２の外側面は、軸方向から見て、中心軸ＣＡを中心とする円形であり、５つの突起部２５２ｂがそれぞれ筒部２５２の外側面の周を５等分する位置に設けられている。こうすれば、軸受保持部２３の端部２３０に筒部２５２が挿入された蓋部２５が軸方向に対して傾きにくくなる。従って、周方向において第１シール部２６１をさらに均等に充填できる。また、たとえば板部２５１が傾いて軸方向の下方に出っ張らないようにすることもできる。
【００４０】
なお、突起部２５２ｂの数ｎは、５以外の複数であってもよい。ｎは、１、５以外の正の整数である。この場合、軸方向から見て、ｎ個の突起部２５２ｂがそれぞれ、筒部２５２の外側面の周を分割する位置に設けられる。さらに、突起部２５２ｂは、本実施形態では筒部２５２の外側面に設けられているが、この例示に限定されず、軸受保持部２３の端部２３０と筒部２５２との間において、軸受保持部２３の端部２３０の内側面に設けられていてもよい。より具体的には、突起部２５２ｂは、軸受保持部２３の端部２３０の内側面と筒部２５２の外側面とのうちの少なくとも一方に設けられていればよい。
【００４１】
壁部２５３は、本実施形態では周方向に延びており、図２Ｂに示すように環状であるが、円弧形状であってもよい。或いは、壁部２５３は、周方向に複数並んでいてもよい。こうすれば、板部２５１の強度を向上させて、蓋部２５の形状を安定化できる。
【００４２】
また、板部２５１と軸受保持部２３の端部２３０及び／又はハウジング部２４との間にシール部２６（たとえば後述する第２シール部２６２）が設けられている場合には、板部２５１の形状を安定化することにより、軸受保持部２３の端部２３０及び／又はハウジング部２４へのシール部２６の密着性を高めることができる。よって、軸受保持部２３の内部への水分及び塵埃の侵入をさらに抑制又は防止できる。
【００４３】
＜１−３．シール部の構成＞
次に、シール部２６の構成を説明する。図３は、実施形態に係るファンモータ１００のシール部２６近傍における要部の一例を示す拡大断面図である。
【００４４】
シール部２６は、第１シール部２６１と、第２シール部２６２と、第３シール部２６３と、を有する。なお、たとえばグリスなどの流動性のある材料がシール部２６に用いられる場合、第１シール部２６１を設ける部位、第２シール部２６２を設ける部位、及び、第３シール部２６３を設ける部位のうちの少なくともいずれかにシール部２６の材料を塗布することにより、シール部２６を設けることができる。たとえば、シール部２６の材料は、筒部２５２の外側面、及び軸受保持部２３の端部２３０の内側面のうちの少なくともどちらかに塗布されてもよい。或いは、シール部２６の材料は、筒部２５２よりも径方向の外方における板部２５１の上面、軸受保持部２３の端部２３０の軸方向の下方における先端部分、及びハウジング部２４の下面のうちの板部２５１により覆われる部分の少なくともいずれかに塗布されてもよい。若しくは、シール部２６の材料は、壁部２５３の表面、及びハウジング部２４の溝部２４ａの内側面、底面のうちの少なくともいずれかに塗布されてもよい。その後、筒部２５２と軸保持部２３とを嵌合することにより、シール部２６の材料を蓋部２５と軸受保持部２３の端部２３０又はハウジング部２４との間に介在させて、第１シール部２６１、第２シール部２６２、及び第３シール部２６３を設けることができる。こうすれば、流動性のある材料によりシール部２６を形成できる。
【００４５】
第１シール部２６１は、径方向において軸受保持部２３の端部２３０の内側面と蓋部２５の筒部２５２の外側面との間に位置する。こうすれば、軸受保持部２３の端部２３０において、第１シール部２６が軸受保持部２３及び蓋部２５間に位置することにより、軸方向の下方から軸受保持部２３の端部２３０内への水分及び塵埃の侵入を抑制又は防止できる。従って、ステータユニット２の防水性及び防塵性を向上することができる。
【００４６】
第２シール部２６２は、軸方向において、軸受保持部２３の端部２３０とハウジング部２４とのうちの少なくとも一方と、蓋部２５の板部２５１との間に位置する。こうすれば、軸受保持部２３の端部２３０と蓋部２５の板部２５１との間、及び／又は、ハウジング部２４と蓋部２５の板部２５１との間における水分及び塵埃の径方向における侵入を第２シール部２６２により抑制又は防止できる。さらに、第２シール部２６２が軸受保持部２３の端部２３０及び板部２５１間とハウジング部２４及び板部２５１間との両方に設けられることにより、軸受保持部２３及びハウジング部２４間の界面の軸方向の下方における端を第２シール部２６２で覆うことにより、該界面への水分の侵入を防止することもできる。従って、ステータユニット２の防水性及び防塵性を向上することができる。
【００４７】
第３シール部２６３は、径方向において、壁部２５３の内側面と溝部２４ａの外側面との間、及び、壁部２５３の外側面と溝部２４ａの内側面との間の少なくとも一方に位置する。また、第３シール部２６３はさらに、軸方向において、壁部２５３の上面と溝部２４ａの底面との間に位置していてもよい。こうすれば、ハウジング部２４の溝部２４ａと蓋部２５の壁部２５３との間における水分及び塵埃の侵入を第３シール部２６３により抑制又は防止できる。さらに、第３シール部２６３は、壁部２５３の径方向の内方側及び外方側に設けられている。たとえば、シール部２６に流動性のある材料が用いられている場合には、シール部２６が壁部２５３の内側面と溝部２４ａの外側面との間、及び、壁部２５３の外側面と溝部２４ａの内側面との間に留まることにより、第３シール部２６３が形成される。そして、第３シール部２６３が、ハウジング部２４の下面よりも軸方向の下方にはみ出なくなる。
【００４８】
＜１−４．軸受保持部の構成＞
次に、軸受保持部２３の構成を図３を参照して説明する。軸受保持部２３の軸方向の下方における端部２３０の内側面は、平滑なテーパ形状の面であり、軸方向の下方に向かうにつれて径方向の外方に広がっている。言い換えると、該内側面は、中心軸ＣＡを中心とする円錐台形状に広がっている。こうすれば、軸方向において、軸受保持部２３の端部２３０と蓋部２５の筒部２５２との間にシール部２６（たとえば第１シール部２６１）を周方向にむらなく広げて設けやすくなる。この際、シール部２６は、周方向に隙間なく繋がって広がるので、軸受保持部２３及びハウジング部２４間の界面への水分の侵入を防止することができる。また、端部２３０の内側面は軸方向の下方に向かうにつれて径方向の外方に広がる。そのため、たとえば、筒部２５２の先端を端部２３０の内側面に嵌め込み、該嵌合構造よりも軸方向の下方において軸受保持部２３の端部２３０と蓋部２５の筒部２５２との間に第１シール部２６１を設けることもできる。
【００４９】
軸受保持部２３は、軸受保持部２３の端部２３０に第２傾斜面２３ａを有する。第２傾斜面２３ａは、軸受保持部２３の軸方向の下方における先端の径方向の内端部分が径方向外方に向かって面取りされた面である。第２傾斜面２３ａは、軸受保持部２３の端部２３０の軸方向における下端且つ径方向内方に設けられており、中心軸ＣＡを中心とする周方向に環状に設けられている。こうすれば、シール部２６（たとえば第１シール部２６１）を介して蓋部２５の筒部２５２を軸受保持部２３の端部２３０に挿入しやすくなる。また、軸受保持部２３の端部２３０と筒部２５２との間において面取りされた部分にも第１シール部２６１が設けられる。そのため、第１シール部２６１が軸受保持部２３の端部２３０と筒部２５２との間から軸方向の上方にはみ出難くなる。従って、第１シール部２６１が、シャフト１０、軸受３などに当たったり付着したりすることなどの不具合の発生を抑制又は防止できる。
【００５０】
＜２．実施形態の変形例＞
軸受保持部２３の端部２３０の内側面は、上述の実施形態では平滑なテーパ形状の面であったが、この例示に限定されず凹凸を有する面であってもよい。図４は、実施形態の変形例に係るファンモータ１００のシール部２６近傍における要部の他の一例を示す拡大断面図である。なお、図４では、構造を理解しやすくするため、たとえば予圧バネ１０ａなどの一部の構成要素を省略している。
【００５１】
軸受保持部２３の端部２３０の内側面は、図４に示すように、軸方向の下方に向かうにつれて径方向の外方に広がる階段形状を有している。該階段形状は、複数の段差２３ｂからなり、軸方向から見て内径が異なる複数の側面を有している。なお、これらの側面は軸方向から見て円形である。また、軸方向から見た複数の側面において、軸方向の下方にある側面は軸方向の上方にある側面よりも内径が大きくなっている。
【００５２】
なお、図４の例示に限定されず、蓋部２５の筒部２５２の外側面が上述のような階段形状であってもよい。より具体的には、軸受保持部２３の端部２３０の内側面、及び、蓋部２５の筒部２５２の外側面のうちの少なくとも一方は、軸方向から見て、内径が異なる複数の側面を有する上述のような階段形状を有する構成であればよい。
【００５３】
こうすれば、端部２３０の内側面、及び／又は、筒部２５２の外側面を階段形状にすることで、軸方向において、軸受保持部２３の端部２３０と蓋部２５の筒部２５２との間に第１シール部２６１を設けやすくなる。また、端部２３０の階段状の内側面、筒部２５２の階段状の外側面における軸方向から見た内径の管理が、たとえばテーパ形状である場合と比べて容易となる。
【００５４】
＜３．その他＞
以上、本発明の実施形態について説明した。なお、本発明の範囲は上述の実施形態に限定されない。本発明は、発明の主旨を逸脱しない範囲で種々の変更を加えて実施することができる。また、上述の実施形態で説明した事項は、矛盾を生じない範囲で適宜任意に組み合わせることができる。
【００５５】
たとえば、モータ１００は、上述の実施形態及びその変形例ではアウターロータ型（図１参照）であったが、この例示に限定されず、インナーロータ型であってもよい。
【産業上の利用可能性】
【００５６】
本発明は、ステータユニットの軸受保持部の端部を蓋部で覆うモータなどに有用である。
【符号の説明】
【００５７】
１００・・・ファンモータ、１１０・・・モータ、１２０・・・インペラ、１２１・・・翼部、１３０・・・ケーシング、１・・・ロータ、１０・・・シャフト、１０ａ・・・予圧バネ、１１・・・ロータ支持部材、１１１・・・板部、１１２・・・円筒部、１２・・・マグネット、２・・・ステータユニット、２０・・・ステータ、２０１・・・ステータコア、２０２・・・インシュレータ、２０３・・・コイル部、２１・・・基板、２２・・・樹脂部、２３・・・軸受保持部、２３０・・・端部、２３ａ・・・第２傾斜面、２３ｂ・・・段差、２４・・・ハウジング部、２４ａ・・・溝部、２５・・・蓋部、２５１・・・板部、２５２・・・筒部、２５２ａ・・・第１傾斜面、２５２ｂ・・・突起部、２５３・・・壁部、２６・・・シール部、２６１・・・第１シール部、２６２・・・第２シール部、２６３・・・第３シール部、２７・・・フィルム、３・・・軸受、ＣＡ・・・中心軸
【図１】
2018164336.tif 000003
【図２Ａ】
2018164336.tif 000004
【図２Ｂ】
2018164336.tif 000005
【図２Ｃ】
2018164336.tif 000006
【図３】
2018164336.tif 000007
【図４】
2018164336.tif 000008